(57)【要約】【課題】背凭れや座部に接している身体部分の蒸れを抑え、被施術者の不快感を和らげる理容椅子を提供する。【解決手段】被施術者が着座する座部１２と、被施術者の背中を支持する背凭れ部１４と、被施術者の各腕を支持する２つの肘掛部１３とを備え、各肘掛部１３は、座部１２側に配置される内側面から送風を行うファン２０を有することを特徴とする。【選択図】図１
0003221907.tif 000002
【実用新案登録請求の範囲】
【請求項１】
被施術者が着座する座部と、
前記被施術者の背中を支持する背凭れ部と、
前記被施術者の腕を支持する肘掛部と、
を備え、
前記肘掛部は、
前記座部側に配置される内側面から送風を行うファンを有する、
ことを特徴とする理容椅子。
【請求項２】
前記ファンの送風の向きが前記座部の横幅方向である、
ことを特徴とする請求項１に記載の理容椅子。
【請求項３】
前記ファンの送風の向きが前記座部の上下方向に対して斜め上方である、
ことを特徴とする請求項１に記載の理容椅子。
【請求項４】
前記ファンの送風の向きが前記座部の上下方向に対して斜め下方である、
ことを特徴とする請求項１に記載の理容椅子。
【請求項５】
前記ファンの送風の向きが前記座部の前後方向に対して斜め前方である、
ことを特徴とする請求項１に記載の理容椅子。
【請求項６】
前記ファンの送風の向きが前記座部の前後方向に対して斜め後方である、
ことを特徴とする請求項１に記載の理容椅子。
【請求項７】
前記肘掛部の内側面は、
前記ファンを設置して所定方向に送風させるように形成したオフセット面を有する、
ことを特徴とする請求項１から６のいずれか１項に記載の理容椅子。
【請求項８】
前記オフセット面を、前記座部に対して垂直あるいは所定方向に向けて傾斜させ、該オフセット面に設けられた前記ファンが前記所定方向に送風するように形成した、
ことを特徴とする請求項７に記載の理容椅子。
【請求項９】
前記ファンが動作しているか否かを表示する動作表示部を備えた、
ことを特徴とする請求項１から８のいずれか１項に記載の理容椅子。
【請求項１０】
前記ファンの動作を予め設定された時間に応じて制御するタイマを備えた、
ことを特徴とする請求項１から９のいずれか１項に記載の理容椅子。
【請求項１１】
前記ファンを間欠動作させる間欠制御部を備えた、
ことを特徴とする請求項１から９のいずれか１項に記載の理容椅子。
【考案の詳細な説明】
【技術分野】
【０００１】
本開示は、理容院等において毛髪カットなどを行う際に被施術者を着座させる理容椅子に関するものである。
【背景技術】
【０００２】
毛髪をカットするとき、被施術者には刈布が掛けられ、切り落とされた毛髪が衣服等に付着しないようにしている。
刈布は、被施術者の首部分に隙間が生じないように固定され、着座している被施術者の身体、ならびに、理容椅子の座部や肘掛部などを含めて、これらを上側から覆うように装着する。
被施術者が着座している椅子は、刈布に覆われた部分が閉鎖された空間になり、被施術者の身体から放出される湿気などによって刈布の内側が蒸れ易くなる。
【０００３】
刈布の内側が蒸れることを抑えるため、空気を流通させる凹溝と送風機を備えた椅子がある（例えば、特許文献１参照）。
この椅子は、座面と背凭れ面に複数の凹溝を並べて形成し、これらの凹溝に連続する複数の開孔を設けている。各開孔は、空気路を通じて送風機の吸気口に接続されている。
この椅子に施術者が座ると、椅子の座面および背凭面と人との間に空気が流通する空間が形成される。送風機を駆動すると、この空間を通じて吸引方向に空気が流通する。即ち、椅子に着座した人の背中側を空気が通るように送風が行われる。
【０００４】
また、背凭れの両端を網状にし、網状部分に扇風器を備えた理美容椅子がある（例えば、特許文献２参照）。この椅子は、体温センサが所定温度以上になると扇風器を作動させ、椅子に座っている被施術者の背中へ直接送風を当てるように構成されている。
【先行技術文献】
【特許文献】
【０００５】
【特許文献１】特開２００５−２９６５９３号公報
【特許文献２】実開昭６１−８８５５６号公報
【考案の概要】
【考案が解決しようとする課題】
【０００６】
背凭れ部において送風を行うと、背中の上側では蒸れなどを十分抑えることができるが、背凭れの下側、座部に接している腰部、脚部の膝上部分などに十分な送風を到達させることが難しく、着座している被施術者が不快感をもつことがある。
特に、毛髪カットなどを行う際に、被施術者に刈布を装着すると、当該刈布の内部において被施術者の体温が放熱され難くなり、背凭れや座部に接している身体部分が蒸れやすくなるため、時間を要する施術を行う場合には不快感が強くなる。
【０００７】
本開示は、背凭れ部や座部に接している被施術者の身体の蒸れを抑え、被施術者の不快感を和らげる理容椅子を提供する。
【課題を解決するための手段】
【０００８】
本開示に係る理容椅子は、被施術者が着座する座部と、前記被施術者の背中を支持する背凭れ部と、前記被施術者の腕を支持する肘掛部と、を備え、前記肘掛部は、前記座部側に配置される内側面から送風を行うファンを有する、ことを特徴とする。
【０００９】
本開示に係る理容椅子は、前記ファンの送風の向きが前記座部の横幅方向である、ことを特徴とする。
【００１０】
本開示に係る理容椅子は、前記ファンの送風の向きが前記座部の上下方向に対して斜め上方である、ことを特徴とする。
【００１１】
本開示に係る理容椅子は、前記ファンの送風の向きが前記座部の上下方向に対して斜め下方である、ことを特徴とする。
【００１２】
本開示に係る理容椅子は、前記ファンの送風の向きが前記座部の前後方向に対して斜め前方である、ことを特徴とする。
【００１３】
本開示に係る理容椅子は、前記ファンの送風の向きが前記座部の前後方向に対して斜め後方である、ことを特徴とする。
【００１４】
本開示に係る理容椅子は、前記肘掛部の内側面に、前記ファンを設置して所定方向に送風させるように形成したオフセット面を有する、ことを特徴とする。
【００１５】
本開示に係る理容椅子は、前記オフセット面を、前記座部に対して垂直あるいは所定方向に向けて傾斜させ、該オフセット面に設けられた前記ファンが前記所定方向に送風するように形成した、ことを特徴とする。
【００１６】
本開示に係る理容椅子は、前記ファンが動作しているか否かを表示する動作表示部を備えた、ことを特徴とする。
【００１７】
本開示に係る理容椅子は、前記ファンの動作を予め設定された時間に応じて制御するタイマを備えた、ことを特徴とする。
【００１８】
本開示に係る理容椅子は、前記ファンを間欠動作させる間欠制御部を備えた、ことを特徴とする。
【考案の効果】
【００１９】
本開示によれば、被施術者の背中から脚部膝上部分までの蒸れを抑えることができ、刈布を長時間掛けた場合の不快感を和らげることができる。
【図面の簡単な説明】
【００２０】
【図１】本開示の実施例による理容椅子の斜視図である。
【図２】図１の理容椅子を上方から視た説明図である。
【図３】図２の肘掛部の構成を示す説明図である。
【図４】肘掛部の他の構成を示す説明図である。
【図５】肘掛部の他の構成を示す説明図である。
【図６】肘掛部の他の構成を示す説明図である。
【図７】肘掛部の他の構成を示す説明図である。
【図８】理容椅子を側方から視た場合の構成を示す説明図である。
【図９】理容椅子に刈布を掛けた状態を示す説明図である。
【図１０】理容椅子のファンを動作させる電気系の構成を示す説明図である。
【考案を実施するための形態】
【００２１】
以下、この考案の実施の一形態を説明する。
（実施例）
図１は、本開示の実施例による理容椅子１の斜視図である。理容椅子１は、床面等に載置される基台１０、基台１０に搭載された昇降装置１１、昇降装置１１によって高さ可変に支持された座部１２、座部１２の奥側端部に接している背凭れ部１４、座部１２の両側方に各々配置された肘掛部１３を備えて構成されている。
理容椅子１は、座部１２の前端部分に配置され、被施術者のふくらはぎ等を支持する足支持部１５、足支持部１５の先側に配置され、踵などの足裏部分を載置する足置き部１６を備えている。
【００２２】
図２は、図１の理容椅子１を上方から視た説明図である。座部１２の両側方に配置された各肘掛部１３は、背凭れ部１４の表面と座部１２の表面が接する位置の近傍にファン２０を備えている。
図３は、図２の肘掛部１３を示す説明図である。この図は、図２において右側、即ち、理容椅子１に着座した被施術者の左肘を掛ける肘掛部１３を上方から視た場合の構成を示している。
肘掛部１３は、理容椅子１の外側に配置される外側面４０を有し、当該外側面４０に、後述するように回動して所定位置で固定される刈布掛け部２１を備えている。
肘掛部１３は、理容椅子１に着座した被施術者側に配置される内側面４１を有し、内側面４１は、肘掛部１３の前側に配置される前側面４２と、肘掛部１３の奥側に配置されるオフセット面４３を有している。
【００２３】
肘掛部１３は、オフセット面４３が設けられた位置に、理容椅子１の内側、即ち、座部１２ならびに背凭れ部１４の表面側へ送風を行うファン２０を設置している。
オフセット面４３は、肘掛部１３を上方から視たとき、前側面４２よりも１段低くなるように形成されている。
即ち、オフセット面４３は、肘掛部１３の厚み方向において、前側面４２を有する部分よりも若干薄く形成された部分であり、座部１２の奥側（背凭れ部１４の近傍）において、理容椅子１に着座した被施術者の側方に隙間、もしくは適度な空間が生じるように形成されている。
肘掛部１３のオフセット面４３は、例えば、座部１２の表面に対して垂直になるように設けられている。
肘掛部１３のファン２０は、オフセット面４３が垂直であることから、座部１２もしくは理容椅子１の横幅方向に沿って水平に送風するように設けられている。
【００２４】
肘掛部１３を、次に説明する肘掛部１３ａ〜１３ｄの何れかのように構成して理容椅子１に備えることも可能である。
図４〜図７は、肘掛部１３ａ〜１３ｄの各構成を示す説明図である。
図４（ａ）は、肘掛部１３ａを上方から視た場合の構成を示し、図４（ｂ）は、図４（ａ）に示したＡ−Ａ部分の断面図である。
肘掛部１３ａの外側面４０、前側面４２は、例えば、肘掛部１３と同様に構成されている。肘掛部１３ａのオフセット面４３ａは、肘掛部１３ａを上方から視たとき、前側面４２よりも１段低くなるように形成されている。
【００２５】
肘掛部１３ａのオフセット面４３ａは、前述のオフセット面４３と同様に、座部１２の奥側となる位置に設けられており、着座した被施術者の側方に隙間、もしくは適度な空間が生じるように設けられている。即ち、オフセット面４３ａは、肘掛部１３ａの厚みが、前側面４２を有する部分よりも若干薄く形成された部分である。
オフセット面４３ａは、下端部分が座部１２側へ迫り出して、当該オフセット面４３ａの表面が、座部１２の表面に対して斜め上方を向くように（傾斜させて）設けられている。
肘掛部１３ａのファン２０は、オフセット面４３ａが上記のように傾斜していることから、座部１２の上下方向に対して斜め上方へ送風するように設けられている。
【００２６】
図５（ａ）は、肘掛部１３ｂを上方から視た場合の構成を示し、図５（ｂ）は、図５（ａ）に示したＡ−Ａ部分の断面図である。
肘掛部１３ｂの外側面４０、前側面４２は、例えば、肘掛部１３等と同様に構成されている。肘掛部１３ｂのオフセット面４３ｂは、肘掛部１３ｂを上方から視たとき、前側面４２よりも１段低くなるように形成されている。
肘掛部１３ｂのオフセット面４３ｂは、前述のオフセット面４３等と同様に、座部１２の奥側となる位置に設けられており、着座した被施術者の側方に隙間、もしくは適度な空間が生じるように設けられている。即ち、オフセット面４３ｂは、肘掛部１３ｂの厚みが、前側面４２を有する部分よりも若干薄く形成された部分である。
オフセット面４３ｂは、上端部分が座部１２側へ迫り出して、当該オフセット面４３ｂの表面が、座部１２の表面に対して斜め下方を向くように（傾斜させて）設けられている。
肘掛部１３ｂのファン２０は、オフセット面４３ｂが上記のように傾斜していることから、座部１２の上下方向に対して斜め下方へ送風するように設けられている。
【００２７】
図６（ａ）は、肘掛部１３ｃを上方から視た場合の構成を示し、図６（ｂ）は、図６（ａ）に示した部分Ｂの拡大図である。
肘掛部１３ｃの外側面４０、前側面４２は、例えば、肘掛部１３等と同様に構成されている。肘掛部１３ｃのオフセット面４３ｃは、肘掛部１３ｃを上方から視たとき、前側面４２よりも１段低くなるように形成されている。
肘掛部１３ｃのオフセット面４３ｃは、前述のオフセット面４３等と同様に、座部１２の奥側となる位置に設けられており、着座した被施術者の側方に隙間、もしくは適度な空間が生じるように設けられている。即ち、オフセット面４３ｃは、肘掛部１３ｃが、前側面４２を有する部分よりも若干薄く形成された部分である。
オフセット面４３ｃは、奥端部分が座部１２側へ迫り出して、当該オフセット面４３ｃの表面が、座部１２の前後方向に対して斜め前方を向くように（傾斜させて）設けられている。
肘掛部１３ｃのファン２０は、オフセット面４３ｃが上記のように傾斜していることから、座部１２の前後方向（理容椅子１の前後方向）に対して斜め前方へ送風するように設けられている。
【００２８】
図７（ａ）は、肘掛部１３ｄを上方から視た場合の構成を示し、図７（ｂ）は、図７（ａ）に示した部分Ｃの拡大図である。
肘掛部１３ｄの外側面４０、前側面４２は、例えば、肘掛部１３等と同様に構成されている。肘掛部１３ｄのオフセット面４３ｄは、肘掛部１３ｄを上方から視たとき、前側面４２よりも１段低くなるように形成されている。
肘掛部１３ｄのオフセット面４３ｄは、前述のオフセット面４３等と同様に、座部１２の奥側となる位置に設けられており、着座した被施術者の側方に隙間、もしくは適度な空間が生じるように設けられている。即ち、オフセット面４３ｄは、肘掛部１３ｄの厚みが、前側面４２を有する部分よりも若干薄く形成された部分である。
オフセット面４３ｄは、前端部分（前側面４２との境界側）が座部１２側へ迫り出して、当該オフセット面４３ｄの表面が、座部１２の前後方向に対して斜め後方を向くように（傾斜させて）設けられている。
肘掛部１３ｄのファン２０は、オフセット面４３ｄが上記のように傾斜していることから、座部１２の前後方向（理容椅子１の前後方向）に対して斜め後方へ送風するように設けられている。
【００２９】
ここで説明した肘掛部１３，１３ａ〜１３ｄは、オフセット面４３，４３ａ〜４３ｄを所定方向に向けて形成されており、オフセット面４３，４３ａ〜４３ｄの向いている方向にファン２０が送風するように構成されている。
例えば、肘掛部１３のように、座部１２の表面に対して垂直にオフセット面４３を設置し、このオフセット面４３に、ファン２０を所定方向へ向けて（傾けて）設置固定し、所定方向に送風することができるように構成してもよい。また、ファン２０の排気側に複数のフィンなどを設け、フィン２０が発生する送風方向を調整するように構成してもよい。
【００３０】
図８は、理容椅子１を側方から視た場合の構成を示す説明図である。この図は、図１、図２の理容椅子１を側方視した場合の構成を示したもので、被施術者が着座したときに、当該被施術者の右側に配置される各部を図示している。
図９は、理容椅子１に刈布３０を掛けた状態を示す説明図である。この図は、側方視した理容椅子１の断面を示している。
理容椅子1に被施術者Ｘが着座し、毛髪のカット等を行う際には、被施術者Ｘの首下部分、理容椅子１の座部１２、肘掛部１３、背凭れ部１４などを覆うように刈布３０が掛けられる。
【００３１】
刈布３０を掛ける場合には、肘掛部１３の外側面４０に備えられた、例えば棒状、または略棒状の刈布掛け部２１を起立させ、起立した刈布掛け部２１の先端部分に刈布３０を掛ける。
このように刈布３０を掛けた場合、被施術者Ｘの上半身前方に刈布３０の撓み部分が生じ、谷間、もしくはすり鉢状の凹部が発生する。この凹部には、被施術者Ｘのカットされた毛髪が溜まり、理容椅子１の周囲や、着座している被施術者Ｘの前方などに散乱することを防ぐ（もしくは抑える）ことができる。
上記のように刈布３０を掛けた場合、座部１２の両側方に配置された各肘掛部１３の上側を含めて被施術者Ｘの身体を覆った状態になる。刈布３０を２つの刈布掛け部２１に掛けることにより、刈布３０の内部に若干の隙間（空間）が生じ、具体的には、被施術者Ｘの身体と刈布３０との間に通気可能な空間が生じる。
【００３２】
背凭れ部１４の基端部分（背凭れ部１４表面の下側部分）と座部１２の奥側部分（座部１２表面の後端部分）の近傍にファン２０を設置すると、ファン２０が稼働したとき、座部１２の前端側へ向かう気流が発生する。
即ち、理容椅子１に被施術者Ｘが着座しているとき、刈布３０の内部で蒸れた空気を当該被施術者Ｘの腰部近傍から足元側（座部１２の前端側）へ送風し、足元側の刈布３０端部から外部へ排気することができる。
各肘掛部１３に設けられているファン２０は、電動モータ等によって回転駆動するように構成されている。
【００３３】
図１０は、理容椅子１のファン２０を動作させる電気系の構成を示す説明図である。なお、この図においては、ファン２０を１つ図示しているが、理容椅子１は、左右に配置された各肘掛部１３に設けられた２つのファン２０が、同様に動作するように接続構成されている。
理容椅子１は、ファン２０を駆動する電力を供給する電源ユニット５０、電源ユニット５０から出力された電力のＯＮ／ＯＦＦを行う電源スイッチ５１、ファン２０が動作していることを例えば点灯することによって表示する動作表示部５２を備えている。
また、理容椅子１は、ファン２０を間欠動作させる間欠制御ユニット５３、ファン２０を所定時間動作させるタイマユニット５４を備えて構成してもよい。
【００３４】
前述の肘掛部１３、１３ａ〜１３ｄの何れかに備えられたファン２０は、電源スイッチ５１がＯＮ状態になると、電源ユニット５０から供給された所定電圧の電力を用いて、理容椅子１に着座し、また、刈布３０を掛けられた被施術者の腰部などの近傍に生じる隙間等に送風を行う。
ファン２０による送風は、例えば、被施術者に掛けられた刈布３０の内部において、当該被施術者の腰部から脚部に沿って（足元、膝頭などへ向かって）移動し、刈布３０の下端などから外部へ放出される。また、ファン２０による送風は、被施術者の腰部から背中方向へも移動し、即ち、被施術者の背中などに沿って移動して刈布３０の側端などからも、外部へ放出される。
【００３５】
理容椅子１がタイマユニット５４を備えている場合、電源スイッチ５１は、手動操作によってＯＮ／ＯＦＦを切替えることができるとともに、タイマユニット５４の動作制御によってＯＮ／ＯＦＦを行うように構成されている。
タイマユニット５４は、当該タイマユニット５４が起動し（時間カウントを開始し）、予め設定された時間が経過すると、ＯＮ状態の電源スイッチ５１をＯＦＦ状態に遷移させる機能を有している。
また、タイマユニット５４は、当該タイマユニット５４が起動した（時間カウントを開始した）後、予め設定された時間が経過すると、ＯＦＦ状態の電源スイッチ５１をＯＮ状態に遷移させる機能を有したものでもよい。
また、タイマユニット５４は、起動した後、予め設定された第１の時間が経過するとＯＦＦ状態の電源スイッチ５１をＯＮ状態に遷移させ、予め設定された第２の時間が経過すると電源スイッチ５１をＯＦＦ状態に遷移させる機能を有したものでもよい。
ファン２０は、上記のようにタイマユニット５４が電源スイッチ５１を制御することによって、予めタイマユニット５４に設定された時間に応じて動作する。
【００３６】
理容椅子１が間欠制御ユニット５３を備えている場合、電源スイッチ５１は、間欠制御ユニット５３の制御に応じてＯＮ／ＯＦＦを切替えるように構成されている。
間欠制御ユニット５３は、第１の時間（期間）が経過するまでの間、電源スイッチ５１をＯＮ状態とし、第２の時間（期間）が経過するまでの間、電源スイッチ５１をＯＦＦ状態とし、このＯＮ状態とＯＦＦ状態とを繰り返すように制御する機能、即ち、ファン２０が稼働と停止を繰り返す間欠動作を行うように制御する機能を有している。
理容椅子１は、タイマユニット５４と間欠制御ユニット５３のいずれか一方がファン２０の動作を制御するように構成してもよいが、タイマユニット５４が電源スイッチ５１をＯＮ状態としている時間（期間）において、即ち、動作可能な状態のファン２０に対して間欠動作を行うように構成してもよい。
【符号の説明】
【００３７】
１理容椅子
１０基台
１１昇降装置
１２座部
１３，１３ａ〜１３ｄ肘掛部
１４背凭れ部
１５足支持部
１６足置き部
２０ファン
２１刈布掛け部
３０刈布
４０外側面
４１内側面
４２前側面
４３，４３ａ〜４３ｄオフセット面
５０電源ユニット
５１電源スイッチ
５２動作表示部
５３間欠制御ユニット
５４タイマユニット
【図１】
0003221907.tif 000003
【図２】
0003221907.tif 000004
【図３】
0003221907.tif 000005
【図４】
0003221907.tif 000006
【図５】
0003221907.tif 000007
【図６】
0003221907.tif 000008
【図７】
0003221907.tif 000009
【図８】
0003221907.tif 000010
【図９】
0003221907.tif 000011
【図１０】
0003221907.tif 000012